【事件の表示】
　上記当事者間の登録第５１０３９６３号商標の商標登録無効審判事件について，次のとおり審決する。
【結　論】
　登録第５１０３９６３号の指定役務中，第４２類「電子計算機のプログラムの設計・作成又は保守」についての登録を無効とする。
　その余の指定役務についての審判請求は成り立たない。
　審判費用は，その２分の１を請求人の負担とし，２分の１を被請求人の負担とする。
【理　由】
第１　本件商標
　本件登録第５１０３９６３号商標（以下「本件商標」という。）は，「ハイテック」の文字を標準文字により表してなり，平成１９年２月１３日に登録出願，第３５類に属する商標登録原簿に記載の役務及び第４２類「気象情報の提供（人材派遣によるものを含む），建築物の設計（人材派遣によるものを含む），測量（人材派遣によるものを含む），デザインの考案（人材派遣によるものを含む），電子計算機のプログラムの設計・作成又は保守，電子計算機・自動車その他その用途に応じて的確な操作をするためには高度の専門的な知識・技術又は経験を必要とする機械の性能・操作方法等に関する紹介及び説明（人材派遣によるものを含む），医薬品・化粧品又は食品の試験・検査又は研究（人材派遣によるものを含む），建築又は都市計画に関する研究（人材派遣によるものを含む），公害の防止に関する試験又は研究（人材派遣によるものを含む），電気に関する試験又は研究（人材派遣によるものを含む），土木に関する試験又は研究（人材派遣によるものを含む），農業・畜産又は水産に関する試験・検査又は研究（人材派遣によるものを含む），機械器具に関する試験又は研究（人材派遣によるものを含む），計測器の貸与，電子計算機の貸与，電子計算機用プログラムの提供（人材派遣によるものを含む），理化学機械器具の貸与，製図用具の貸与」を指定役務として平成２０年１月１１日に設定登録され，その後，平成２１年７月１６日付け商標権の一部抹消登録申請書により，指定役務中の第４２類「電子計算機のプログラムの設計・作成又は保守，電子計算機の貸与，電子計算機用プログラムの提供（人材派遣によるものを含む）」について登録の一部抹消がされているものである。
　
第２　引用商標
　請求人が引用する登録第３１４８５４８号商標（以下「引用商標」という。）は，別掲のとおりの構成からなり，平成４年９月２４日に登録出願，第４２類「電子計算機のプログラム設計・作成または保守」を指定役務として平成８年４月３０日に設定登録され，その後，平成１８年４月１８日に商標権の存続期間の更新登録がされているものである。
　
第３　請求人の主張の要点
　請求人は，本件商標の指定役務中「第４２類全指定役務」についての登録を無効とする，審判費用は被請求人の負担とする，との審決を求め，その理由を要旨以下のように述べ，証拠方法として，甲第１ないし甲第１１号証を提出している。
１　本件商標と引用商標との類否
（１）本件商標は，「ハイテック」の片仮名文字を標準文字にて横書きした構成からなるものであって，これよりは「ハイテック」の称呼を生じるものである。
　他方，引用商標は「Ｆｉｔｅｃ」の欧文字を大きく横書きし，当該欧文字の上に「ファイテック」の片仮名文字を横書きすることにより，引用商標の読みを特定しているものである。したがって，引用商標よりは「ファイテック」の称呼を生じるものである。
（２）本件商標の称呼「ハイテック」と引用商標の称呼「ファイテック」とは，その語頭において「ハ」音対「ファ」音の差異を有するものではあるが，前者が両唇を接近させて，その隙間から発する無声摩擦子音「ｈ」と母音「ａ」とを結合させた音であるのに対し，後者は両唇の通路を狭め，その狭い隙間から発する無声摩擦子音「ｆ」と母音「ａ」とを結合させた音であって，両音はその母音，調音方法及び無声摩擦音である点で共通するものである。
　そして，「ファ」音が「フ」の音に「ア」の音を添えて一気に発音される音であることから，その音質においても近似するものである。
　そうすると，共に５音の構成音数からなり，「ハ」音と「ファ」音以外の音については共通する両称呼にあっては，当該「ハ」音と「ファ」音の近似性が両称呼全体に与える影響は非常に大きいものであって，両称呼は，その語感，語調において近似するものであり，彼此聞き誤られるおそれが存するものである。
　したがって，本件商標と引用商標とは，その称呼において類似するものである。
（３）審決例においても，本件と同様に，称呼上，語頭における「ハ」音と「ファ」音の差異のみを有し，しかも，構成音数が本件の場合よりも少ない称呼同士の類否について，以下に示すように称呼上類似すると判断されているものが多数存在するものであって（甲第５ないし甲第１１号証），このことからも本件商標と引用商標とが称呼上類似することが容易に理解できるものである。
・昭和５３年審判第９４４２号：称呼「ファルク」と「ハルク」
・昭和５６年審判第２１７１１号：称呼「ハフナ」と「ファウナ」
・昭和５８年審判第２１０６５号：称呼「ハクト」と「ファクト」
・昭和６１年審判第６１８３号：称呼「ハイロン」と「ファイロン」
・平成５年審判第１１２０号：称呼「ファミロン」と「ハミロン」
・平成６年審判第７６８９号：称呼「ファイベル」と「ハイベル」
・不服２００２−１２０８２号：称呼「ハルコン」と「ファルコン」
（４）また，引用商標は，第４２類「電子計算機のプログラム設計・作成または保守」をその指定役務とするものであるのに対し，本件商標の第４２類の指定役務は前記第１のとおりであるから，引用商標の指定役務が本件商標の指定役務と同一又は類似する関係にあること明らかである。
２　本件商標の商標法第４条第１項第１１号及び同法第８条第１項該当性
　本件商標と引用商標が類似し，その指定役務同士も類似の関係にあることは上記のとおりであるところ，本件商標は平成１９年２月１３日に出願し，平成２０年１月１１日に登録されたものであるのに対し，引用商標は平成４年９月２４日に出願し，平成８年４月３０日に登録されたものであるから，引用商標が，本件商標の先願・先登録に係るものであること明らかである。
　したがって，本件商標は，商標法第４条第１項第１１号及び同法第８条第１項の規定に該当するものである。
３　むすび
　以上のとおり，本件商標は，商標法第４条第１項第１１号及び同法第８条第１項の規定に違反して登録されたものであるから，同法第４６条第１項の規定により無効とされるべきものである。
　
第４　被請求人の答弁の要点
　被請求人は，本審判請求は成り立たない，審判費用は請求人の負担とする，との審決を求め，その理由を要旨以下のように述べ，証拠方法として，乙第１及び乙第２号証（枝番を含む。）を提出している。
１　同一又は類似でない指定役務について
　引用商標は，第４２類「電子計算機のプログラム設計・作成または保守」を指定役務として登録されている。本件商標の登録において，この役務と同一又は類似の指定役務は「電子計算機のプログラムの設計・作成又は保守」のみであり，それ以外の指定役務については，役務が同一又は類似するものには当たらない。そのため，これらの指定役務について，本件商標の登録は，商標法第４条第１項第１１号及び同法第８条第１項のいずれの規定にも違反するものではない。
２　同一の指定役務について
　本件商標と引用商標からは，請求人が主張するように，それぞれ「ハイテック」と「ファイテック」の称呼が生じるものである。このうち，本件商標の称呼である「ハイテック」については，指定役務との関係から，需要者には「ハイテク」（「ハイテクノロジー」の略語，乙第１号証）が連想されるものであり，高度であることを意味する「ハイ」の語，さらにその語頭音である「ハ」の音が需要者に明瞭に認識されるものである。
　これに対し，引用商標の「ファイテック」の称呼については，後半部分の「テック」からは「テクノロジー」が連想されるのに対し，前半部分の「ファイ」からは，後半部分の「テクノロジー」との関係において，技術関連の用語で「ファイン−ケミカル」，「ファイン−スチール」，「ファイン−セラミックス」などが広く使用されている（乙第２号証）ことを考慮すると，「ファイン」の語が連想されるものであり，優れた性質であることを意味する「ファイン」の語，さらにその語頭音である「ファ」の音が需要者に明瞭に認識されるものである。
　以上より，本件商標と引用商標が，指定役務「電子計算機のプログラムの設計・作成又は保守」において使用された場合の取引事情を考慮すると，本件商標より生じる「ハイテック」の称呼と引用商標より生じる「ファイテック」の称呼は明瞭に区別して認識し得るものであり，本件商標と引用商標は類似しないものと思料する。
　したがって，本件商標は，「電子計算機のプログラムの設計・作成又は保守」についても引用商標と類似しないため，本件商標の登録は，商標法第４条第１項第１１号及び同法第８条第１項のいずれの規定にも違反するものではない。
　なお，被請求人は，第４２類の指定役務中「電子計算機のプログラムの設計・作成又は保守，電子計算機の貸与，電子計算機用プログラムの提供（人材派遣によるものを含む）」については本件商標を使用していないため，平２１年７月１６日付で商標権の一部抹消登録申請書を提出し，上記役務についての抹消登録を申請している。
３　むすび
　以上に述べたとおり，本件商標の登録は，商標法第４条第１項第１１号及び同法第８条第１項のいずれの規定に違反してされたものでもないため，同法第４６条第１項の規定に基づき無効とされるべきものではない。
　よって，本件審判の請求は成り立たない。
　
第５　当審の判断
１　本件商標の商標法第４条第１項第１１号該当性について
（１）本件商標と引用商標との類否について
　本件商標は，その構成文字に相応して「ハイテック」の称呼が生ずることは明らかである。他方，引用商標は，その構成に照らし，上段に小さく書された「ファイテック」の文字が「Ｆｉｔｅｃ」の文字部分の読みを特定したものと容易に認識し把握されるから，全体として「ファイテック」の称呼を生ずるものといえる。
　しかして，上記「ハイテック」の称呼と「ファイテック」の称呼とは，同音数からなり（「ファ」の音は，もともとは日本語になかったものであるが，今では外来の１音節を形成するものとして一般に広く認識されている。），第１音が「ハ」と「ファ」とで相違するのみで，他の音を，順序を含め，悉く共通にするものである。しかも，相違する「ハ」と「ファ」の音は，母音（ａ）を共通にし調音方法が酷似する近似音であるばかりでなく，後半の「テック」の音が促音を伴って強く響くことから，この差異が全体に及ぼす影響はわずかなものであり，両称呼をそれぞれ一連に称呼するときは，全体の音感・音調が極めて近似し彼此相紛らわしいものである。
　してみれば，本件商標と引用商標とは，称呼上類似する商標といわなければならない。
　なお，両者が外観において判然と区別し得る差異を有し，また，両者共親しまれた既成の観念を有する成語を表したものともいえないから観念上比較することができないとしても，これらの差異が上記称呼上の類似性を凌駕するものではない。
（２）本件商標の指定役務と引用商標の指定役務との類否について
　請求人は，本件商標の指定役務中の「第４２類全指定役務」と引用商標の指定役務とが同一又は類似である旨主張するが，本件商標は，第４２類に属する役務として多数の役務を指定するものであり，そのうちの「電子計算機のプログラムの設計・作成又は保守」については，引用商標の指定役務と同一のものと認められるものの，その余の役務は，引用商標の指定役務と同一又は類似のものとは認められない。
　請求人も，本件商標に係る第４２類の指定役務中の「電子計算機のプログラムの設計・作成又は保守」以外の役務と引用商標の指定役務とが同一又は類似であることについて具体的に主張・立証していない。　
（３）以上によれば，本件商標は，その指定役務中の第４２類「電子計算機のプログラムの設計・作成又は保守」について，商標法第４条第１項第１１号に該当するものである。
２　本件商標の商標法第８条第１項違反について
　本件商標は，上記第１のとおり，平成１９年２月１３日に登録出願されたものであり，引用商標は，上記第２のとおり，平成４年９月２４日に登録出願されたものであるから，引用商標が本件商標よりも先に登録出願されたことは明らかである。そして，前示のとおり，本件商標と引用商標とは称呼上類似するものであり，本件商標の指定役務中の「電子計算機のプログラムの設計・作成又は保守」と引用商標の指定役務とは同一のものである。
　したがって，本件商標は，商標法第８条第１項の規定に違反するものである。
３　むすび
　以上のとおり，本件商標は，その指定役務中第４２類「電子計算機のプログラムの設計・作成又は保守」については，商標法第４条第１項第１１号及び同法第８条第１項の規定に違反して登録されたものであるから，同法第４６条第１項の規定に基づき，その登録を無効にすべきものである。
　よって，結論のとおり審決する。